(57)【要約】【課題】  監視制御システムを構成する各計算機の設置場所に出向くことなく、システム故障時のシステムログを収集する監視制御システムを得る。【解決手段】  ログ収集計算機２は、故障監視手段２１と、システムログ収集手段２２と、表示制御手段２３と、通信手段２５を有し、ネットワークを介して監視制御システムを構成する複数の計算機に接続され、監視制御システムのいずれかの故障を故障監視手段２１により監視し、故障が検出されたとき、システムログ収集手段２２により、通信手段２５を介して複数の計算機のそれぞれのシステムログを収集して、システムログ６として、自装置の記憶媒体に保存すると共に、表示制御手段２３により、システムログの収集終了をオペレータが確認できるように表示部２４にメッセージ表示する。【選択図】図２
2006309636.tif 000002
【特許請求の範囲】
【請求項１】
複数の計算機によりプラントの設備を監視制御する監視制御システムにおいて、ネットワークを介して上記複数の計算機に接続され、上記計算機の故障時に上記複数の計算機のシステムログを収集するログ収集計算機を備え、上記ログ収集計算機は、上記複数の計算機の故障を監視する故障監視手段と、この故障監視手段によりいずれかの上記計算機の故障を検出したとき、上記複数の計算機からそれぞれのシステムログを収集し、記憶媒体に保存するシステムログ収集手段とを有することを特徴とする監視制御システム。
【請求項２】
上記ログ収集計算機は、可搬型の記憶媒体に上記収集したシステムログを出力する可搬型記憶媒体出力手段を有することを特徴とする請求項１記載の監視制御システム。
【請求項３】
上記ログ収集計算機は、公衆回線を介して端末装置に接続され、この端末装置に上記収集したシステムログを送信するシステムログ送信手段を有することを特徴とする請求項１記載の監視制御システム。
【発明の詳細な説明】
【技術分野】
【０００１】
この発明は、変電所などのプラントで使用され、プラントの各設備を監視制御する監視制御システムに関するものである。
【背景技術】
【０００２】
プラントを監視制御する監視制御システムを構成する各計算機毎に、各計算機のハードディスクやメモリなどの記憶媒体に、計算機の動作状態や異常内容が常時、システムログとして記録されている。
システムの故障発生時には、故障の原因解析のために、メーカ（システム製作者）の担当者が、監視制御システムの据付場所（変電所等）に赴き、解析・調査に必要なデータを含むシステムログを各計算機毎に手動で採取していた。
【０００３】
特許文献１には、制御演算装置の各部からＲＡＳデータ（故障情報）を収集して一時バッファに格納し、その一時バッファに格納したＲＡＳデータにエラー発生を示す情報が含まれるときに、その一時バッファのＲＡＳデータをＲＡＳファイルにコピーし、ＲＡＳファイルに故障時のＲＡＳデータだけを保存して、ＲＡＳファイルのデータが正常なデータで上書きされるのを防ぐようにしたものが示されている。
特許文献２には、通常は指定されたログレベルでログ情報を通常出力ログファイルに出力し、ログ情報が障害時のログ情報である場合には、障害が発生したアプリケーションプログラムの該当プロセスのログ情報を障害発生時ログファイルに出力することにより、障害発生時のログ情報が上書きされず残るようにしたものが示されている。
【０００４】
【特許文献１】特開平５−１２７９４９号公報（第２頁、図１）
【特許文献２】特開２００４−１３９４８３号公報（第３〜４頁、図１）
【発明の開示】
【発明が解決しようとする課題】
【０００５】
従来のシステムログ採取は、メーカの担当者が、監視制御システムの据付場所（変電所等）に赴き、システムログを各計算機毎に手動で行っていたので、次のような問題点があった。
システムログは、詳細な状態、及び異常内容を常時記録しているため、システム故障発生時から、ある程度時間が経過してしまうと、ハードディスクやメモリ等の記憶媒体の容量制限により、古いシステムログが上書きにより消えてしまうという問題があった。
また、システムログ採取は、技術が要求されるため、メーカの担当者が、監視制御システムの据付場所（変電所等）へ赴いてシステムログ採取しなければならず、コストがかかってしまう問題があった。
また、システムログを採取する人は、その知識・技術を習得する必要があった。
【０００６】
特許文献１及び特許文献２では、各計算機内部での障害発生時のログ情報の収集についてのものであり、これらの障害発生時には、やはり、メーカの担当者が、各計算機の設置場所に赴いてシステムログを採取しなければならず、コストがかかるという問題があった。
【０００７】
この発明は、上述のような課題を解決するためになされたものであり、監視制御システムを構成する各計算機の設置場所に出向くことなく、システム故障時のシステムログを収集する監視制御システムを得ることを目的にしている。
【課題を解決するための手段】
【０００８】
この発明に係わる監視制御システムにおいては、複数の計算機によりプラントの設備を監視制御する監視制御システムにおいて、ネットワークを介して複数の計算機に接続され、計算機の故障時に複数の計算機のシステムログを収集するログ収集計算機を備え、ログ収集計算機は、複数の計算機の故障を監視する故障監視手段と、この故障監視手段によりいずれかの計算機の故障を検出したとき、複数の計算機からそれぞれのシステムログを収集し、記憶媒体に保存するシステムログ収集手段とを有するものである。
【発明の効果】
【０００９】
この発明は、以上説明したように、複数の計算機によりプラントの設備を監視制御する監視制御システムにおいて、ネットワークを介して複数の計算機に接続され、計算機の故障時に複数の計算機のシステムログを収集するログ収集計算機を備え、ログ収集計算機は、複数の計算機の故障を監視する故障監視手段と、この故障監視手段によりいずれかの計算機の故障を検出したとき、複数の計算機からそれぞれのシステムログを収集し、記憶媒体に保存するシステムログ収集手段とを有するので、システムログが記憶媒体の容量制限により、時間の経過によって更新されて消えてしまうのを回避すると共に、各計算機の設置場所に出向くことなく、システム故障時のシステムログを収集することができる。
【発明を実施するための最良の形態】
【００１０】
実施の形態１．
図１は、この発明の実施の形態１による監視制御システムの構成を示すブロック図である。
図１において、プラントを監視制御する監視制御システムを構成する複数の計算機１は、それぞれシステムログ５を収集し、自身の記憶媒体に保存している。この複数の計算機１とログ収集計算機２は、ハブ３を介してＬＡＮなどのネットワーク４により接続されている。ログ収集計算機２は、システム故障時にネットワーク４を介して各計算機１のシステムログ５を収集し、システムログ６として自身のハードディスクなどの記憶媒体に保存する。
なお、ここでは、システムログは、故障解析に用いられるもので、通信状態、オペレーティングシステム、アプリケーションの動作状態のログ、および故障時の調査解析データを一括している。
また、ログ収集計算機２は、各計算機１から遠隔に設置してもよい。
【００１１】
図２は、この発明の実施の形態１による監視制御システムのログ収集計算機の構成を示すブロック図である。
図２において、２、６は図１におけるものと同一のものである。ログ収集計算機２は、各計算機１やネットワークの故障を監視する故障監視手段２１と、この故障監視手段２１によりいずれかの計算機１の故障を検出したとき、直ちに全計算機１からシステムログ５を収集し、システムログ６として保存するシステムログ収集手段２２と、システムログ収集手段２２によりシステムログ５の収集が終了したとき、オペレータに判るように表示部２４にメッセージを表示させる表示制御手段２３とを有している。なお、システムログ６を記憶する記憶媒体は、各計算機１の記憶媒体より容量が大きい。故障監視手段２１は、各計算機１からの異常通知や、通信異常などにより各計算機やネットワークの故障を検出する。通信手段２５は、ネットワーク４とのインターフェイスを形成する。
図３は、この発明の実施の形態１による監視制御システムのシステムログ収集計算機の動作を示すフローチャートである。
【００１２】
次に、動作について説明する。
ログ収集計算機２は、故障監視手段２１におり、システム内のいずれかに故障発生を検出したとき、直ちに、システムログ収集手段２２により、各計算機１のシステムログ５をネットワーク４経由で自動収集し、自装置の記憶媒体にシステムログ６として保存する。
このログ収集計算機２のシステムログ５の収集についてさらに詳しく説明すると、故障した計算機１の故障検出用のアプリケーションが故障を検出し、再起動をかけて復旧できる場合には、システムログ５をログ収集計算機２に送信してから、再起動をかけるようにして行う。
また、故障した計算機１の故障検出用のアプリケーションでは故障の検出ができず、オペレーティングシステムで検出される場合で、再起動前のシステムログ５のログ収集計算機２への送信ができない場合には、再起動後に初期化する時点でシステムログを送信する。このときは、故障した計算機１の初期化時に、現状のログデータが、初期化前のログデータを含んでいるので、その現状のログデータを保存しておき、ログ収集計算機２との間の通信が回復した時点でログ収集計算機２に送信する。これによってログ収集計算機２は、故障した計算機１のシステムログ５を収集することができる。
ログ収集計算機２は、システムログ６の収集後は、ユーザ（運用者）に収集結果を知らせるため、表示制御手段２３により、自装置の表示部２４であるＨＭＩ（Ｈｕｍａｎ  Ｍａｃｈｉｎｅ  Ｉｎｔｅｒｆａｃｅ）画面へのメッセージの表示を行うと共に、通信手段２５を介して上位システムへ情報を通知する。
これにより、ログ収集計算機２は、システムの故障発生時のみ、システムログ６を収集するので、各計算機１の記憶媒体の容量やログ収集計算機２の記憶媒体の容量に係わらず、故障時のシステムログ６を収集することができ、故障解析に使用することができる。
【００１３】
次に、図３に基づき、システムログ収集計算機の動作について説明する。
まず、故障監視手段２１により、全システムの故障を監視し、システム故障を検出するまで待ち（ステップＳ１）、システム故障の検出時には、システムログ収集手段２２により、各計算機１のシステムログ５を自動収集し、自装置の記憶媒体にシステムログ６として保存する（ステップＳ２）。次いで、表示制御手段２３により、収集結果を画面表示すると共に、通信手段２５を介して上位システムへ通知する（ステップＳ４）。
このように、システム故障時のタイミングで、各計算機１のシステムログ５を収集するため、システム故障の解析に必要な情報がログ収集計算機２に保存され、時間の経過により、記憶媒体の容量制限からシステムログ６が消えてしまうことが回避できる。
【００１４】
実施の形態１によれば、複数の計算機で構成され、プラントを監視制御する監視制御システムにおいて、システム故障を検出した直後に各計算機のシステムログをログ収集計算機で自動採取し保存するので、従来のように、各計算機及びログ収集計算機の記憶媒体の容量制限により、時間の経過によって更新されて消えてしまうということが回避できる。
また、ログ収集計算機にシステムログが収集されるので、各計算機の設置場所に赴き、システムログを収集する必要もなくなる。
【００１５】
実施の形態２．
図４は、この発明の実施の形態２による監視制御システムの構成を示すブロック図である。
図４において、１〜６は図１におけるものと同一のものである。図４では、収集したシステムログ６を、ＤＡＴ（Ｄｉｇｉｔａｌ  Ａｕｄｉｏ  Ｔａｐｅ）ドライブ７（可搬型記憶媒体出力手段）によりＤＡＴテープ８に出力する。
図５は、この発明の実施の形態２による監視制御システムのシステムログ収集計算機の動作を示すフローチャートである。
【００１６】
実施の形態２は、実施の形態１の構成に加えて、ログ収集計算機２が自動収集したシステムログ６を、ＤＡＴドライブ７により、ＤＡＴテープ８に自動的に出力し、保存する機能を付加したものである。
次に、実施の形態２によるログ収集計算機の動作について、図５に基づき説明する。
図５は、図３のステップＳ２と、ステップＳ４の間に、ＤＡＴドライブ７により、収集したシステムログ６をＤＡＴテープ８に保存するステップＳ３を加えたものである。
ステップＳ１、Ｓ２、Ｓ４は、図３のステップＳ１、Ｓ２、Ｓ４と同じ処理であり、その説明を省略する。
このように、ＤＡＴテープ８が、ポータブルで持ち運べるため、システムログが保存されたＤＡＴテープ８をメーカに送付すれば、メーカが変電所等の計算機設置場所へ赴く必要がなくなるため、コスト削減することができる。
【００１７】
なお、上述では、収集したシステムログの記憶媒体として、ＤＡＴテープを用いるものとして説明したが、可搬型の記憶媒体であれば、これに限定されるものではない。
【００１８】
実施の形態２によれば、ログ収集計算機で自動採取されたシステムログを、ポータブルの記憶媒体であるＤＡＴでメーカへ送付するので、メーカが計算機の設置場所に赴く必要がなくなり、コストを削減することも可能となる。
【００１９】
実施の形態３．
図６は、この発明の実施の形態３による監視制御システムの構成を示すブロック図である。
図６において、１〜６は図１におけるものと同一のものである。図６では、ログ収集計算機２は、インターネットなどの公衆回線９を介して、メーカの端末装置に収集したシステムログ６を送信する。このため、ログ収集計算機２は、メーカの端末装置からの要求に応じて、公衆回線９を介してシステムログ６を送信するシステムログ送信手段１０を有している。
図７は、この発明の実施の形態３による監視制御システムのシステムログ収集計算機の動作を示すフローチャートである。
【００２０】
実施の形態３は、実施の形態１の構成に加えて、ログ収集計算機２によって自動収集されたシステムログ６を、公衆回線９を経由してメーカが採取できるようにしたものである。
次に、実施の形態３によるログ収集計算機の動作について、図７に基づき説明する。
図７は、図３のステップＳ４の後に、ステップＳ５を加えたものである。ステップＳ５では、メーカの端末装置から公衆回線９を経由してログ収集計算機２にシステムログ６を要求し、これに応じてログ収集計算機２のシステムログ送信手段１０によりシステムログ６を送信することにより、メーカの端末装置は、システムログ６を採取する。
ステップＳ１、Ｓ２、Ｓ４は、図３のステップＳ１、Ｓ２、Ｓ４と同じ処理であり、その説明を省略する。
このように実施の形態３では、実施の形態２と同様に、メーカの担当者が変電所等へ赴く必要がなくなる。
【００２１】
実施の形態３によれば、ログ収集計算機で自動採取されたシステムログを、公衆回線経由でメーカが採取できるため、メーカが計算機の設置場所に赴く必要がなくなり、コストを削減することが可能となる。
【図面の簡単な説明】
【００２２】
【図１】この発明の実施の形態１による監視制御システムの構成を示すブロック図である。
【図２】この発明の実施の形態１による監視制御システムのログ収集計算機の構成を示すブロック図である。
【図３】この発明の実施の形態１による監視制御システムのシステムログ収集計算機の動作を示すフローチャートである。
【図４】この発明の実施の形態２による監視制御システムの構成を示すブロック図である。
【図５】この発明の実施の形態２による監視制御システムのシステムログ収集計算機の動作を示すフローチャートである。
【図６】この発明の実施の形態３による監視制御システムの構成を示すブロック図である。
【図７】この発明の実施の形態３による監視制御システムのシステムログ収集計算機の動作を示すフローチャートである。
【符号の説明】
【００２３】
１  計算機
２  ログ収集計算機
３  ハブ
４  ネットワーク
５  各計算機のシステムログ
６  システムログ
７  ＤＡＴドライブ
８  ＤＡＴテープ
９  公衆回線
１０  システムログ送信手段
２１  故障監視手段
２２  システムログ収集手段
２３  表示制御手段
２４  表示部
２５  通信手段
【図１】
2006309636.tif 000003
【図２】
2006309636.tif 000004
【図３】
2006309636.tif 000005
【図４】
2006309636.tif 000006
【図５】
2006309636.tif 000007
【図６】
2006309636.tif 000008
【図７】
2006309636.tif 000009